(57)【要約】  本発明は、携帯機器を装置に接続するためのシステムに関する。システムは携帯機器を接続することが意図されるプラグ（２１）を受けるためのブラケット（２２）を有する。システムはまた：−第１の軸（Ａ１）に対してブラケット（２２）を回転させるための第１の回転機構、−第１の軸（Ａ１）に直交する第２の軸（Ａ２）に対してブラケット（２２）を回転させるための第２の回転機構、及び−第２の軸（Ａ２）と平行である第３の軸（Ａ３）に沿ってブラケット（２２）を移動させるためのスライド機構、を有する、このシステムは、ユーザが、異なるサイズ、及び異なる場所及び向きのプラグ（例えば、マイクロＵＳＢソケット）を有する様々な携帯機器を容易にドッキングさせることを可能にする、汎用ドッキング機構を定める。
2014517400.tif 000002
【特許請求の範囲】
【請求項１】
携帯機器を装置に接続するためのシステムであって、前記システムは前記携帯機器を接続することが意図されるプラグを受けるためのブラケットを有し、前記システムは：
−第１の軸に対して前記ブラケットを回転させるための第１の回転機構、
−第２の軸に対して前記ブラケットを回転させるための第２の回転機構であって、前記第２の軸は前記第１の軸に直交する、第２の回転機構及び
−第３の軸に沿って前記ブラケットを移動させるためのスライド機構であって、前記第３の軸は前記第２の軸と平行である、スライド機構、を有する、
システム。
【請求項２】
前記第１の回転機構は、前記第１の軸に対して１８０度離れた所定の角度に前記プラグを回転させるように適合される、
請求項１に記載のシステム。
【請求項３】
前記第１の回転機構は、前記回転を１８０度の範囲内に制限する装置を有する、
請求項１に記載のシステム。
【請求項４】
前記第２の回転機構は、前記ブラケットが前記第２の軸周りに時計回りに強制的に回転されるような力を作り出すトーションスプリングを有する、
請求項１に記載のシステム。
【請求項５】
前記第３の軸に沿った前記ブラケットの移動中、前記プラグが前記第３の軸に沿って移動することが意図される前記装置の中空部分を隠すための装置をさらに有する、
請求項１に記載のシステム。
【請求項６】
前記プラグが前記第３の軸周りに回転することを防ぐ機構をさらに有する、
請求項１に記載のシステム。
【請求項７】
前記携帯機器が前記プラグに接続されるとき、前記携帯機器を水平位置に関して位置決めするための装置をさらに有する、
請求項１に記載のシステム。
【請求項８】
携帯機器をドッキングするためのドッキング装置であって、
前記ドッキング装置は、請求項１乃至７のいずれか１項に記載のシステムを有する、
ドッキング装置。
【発明の詳細な説明】
【技術分野】
【０００１】
本発明は、携帯機器を装置に接続するためのシステムに関する。
【０００２】
本発明はまた、同システムを有する装置に関する。
【０００３】
本発明は、例えば、ドッキングステーションに接続されるように適合される携帯機器の分野で使用され得る。
【背景技術】
【０００４】
最近では、数多くの、携帯電話、ＭＰ３／ＭＰ４プレーヤ、ＰＣタブレットのような携帯機器が、バッテリを充電するために、装置で再生されることになる様々なマルチメディア、オーディオ／ビデオデータを転送するために、ドッキングスピーカ等のドッキング装置と組み合わせて使用される。しかし、これらの携帯機器は異なる会社によって開発されるために、これらの携帯機器のデザイン（サイズ、厚さ．．．）はモデルごとに非常に異なり、これらの携帯機器の装置への接続性に影響を及ぼし得る。携帯機器と装置との間の電気的な接続は、大抵の場合、例えば、例えば携帯機器のＵＳＢ雌コネクタと協働する機器の雄ＵＳＢコネクタを使用することによるＵＳＢ規格等、所与の規格に従うが、携帯機器におけるこれらのコネクタの位置に関する規格は存在しない。結果として、与えられた携帯機器と与えられた装置との間の接続は常に可能とは限らない場合がある。例えば、これは、携帯機器のコネクタの向きが装置のコネクタの向きと同じでない場合である（例えば、コネクタがひっくり返される）。また、携帯機器と装置との間の接続が可能である場合であっても、コネクタが異なる携帯機器の側部の異なる場所に置かれる図１に示されるように、携帯機器のコネクタの位置が装置のコネクタの位置と一致しない場合、接続された状態において、携帯機器が装置に対して適切に中心に置かれない可能性があり、組立の美学に不利な影響を与える。
【発明の概要】
【発明が解決しようとする課題】
【０００５】
本発明の目的は、携帯機器を装置に接続するための改良されたシステムを提案することである。
【課題を解決するための手段】
【０００６】
本発明は、独立請求項によって定められる。従属請求項は有利な実施形態を定める。
【０００７】
この目的を達成するために、本発明によるシステムは、前記携帯機器を接続することを意図されたプラグを受けるためのブラケットを有する。システムはさらに：
−第１の軸に対してブラケットを回転させるための第１の回転機構、
−第１の軸に直交する第２の軸に対してブラケットを回転させるための第２の回転機構、及び
−第２の軸と平行である第３の軸に沿ってブラケットを移動させるためのスライド機構、を有する。
【０００８】
このシステムは、ユーザが、異なるサイズ、及び異なる場所及び向きのプラグ（例えば、マイクロＵＳＢソケット）を有する様々な携帯機器を容易にドッキングさせることを可能にする、汎用ドッキング機構を定める。
【０００９】
本発明の詳細な説明及び他の態様が以下に与えられる。
【図面の簡単な説明】
【００１０】
本発明の特定の態様が、以下に記載されるとともに添付の図面と併せて検討される実施形態を参照して説明され、この図面では、同一の部品又はサブステップは同様に示される。
【図１】図１は、２つの異なる携帯機器のプラグの配置を示す。
【図２】図２は、本発明によるシステムの第１の実施形態の分解図を示す。
【図３】図３は、本発明によるシステムの第１の実施形態の断面図を示す。
【図４】図４は、本発明によるシステムの第１の実施形態の拡大された断面図を示す。
【図５】図５は、２つの異なる位置における、本発明によるシステムの第１の実施形態の断面図を示す。
【図６】図６は、本発明によるシステムの第２の実施形態の分解図を示す。
【図７】図７は、本発明によるシステムの第２の実施形態の断面図を示す。
【図８】図８は、本発明によるシステムの第２の実施形態の断面図を示す。
【図９】図９は、本発明によるシステムの第２の実施形態の拡大された断面図を示す。
【図１０】図１０は、本発明によるシステムの第２の実施形態の第３の断面図を示す。
【発明を実施するための形態】
【００１１】
本発明は、携帯機器を装置に接続するためのシステムに関する。携帯機器は、ＭＰ３／ＭＰ４プレーヤ、ＰＣタブレット等、ドッキングステーションの役割を担う装置に接続されるように適合される任意の機器に対応し得る。携帯機器は、例えば、バッテリを充電するために、装置で再生されることになる様々なマルチメディア、オーディオ／ビデオデータを転送するために、装置にドッキングされることが意図される。
【００１２】
本発明によるシステムは、携帯機器に接続するためにそこに取付けられたプラグを有するクレイドルを有する。システムは：
−第１の軸に対してブラケットを回転させるための第１の回転機構、
−第１の軸に直交する第２の軸に対してブラケットを回転させるための第２の回転機構、及び
−第２の軸と平行である第３の軸に沿ってブラケットを移動させるためのスライド機構、を有する。
【００１３】
図２及び図６は、本発明によるシステムの、第１及び第２の実施形態の分解図をそれぞれ示す。第１の軸はＡ１で示され、クレイドルは、両矢印Ｒ１によって示されるように、第１の軸Ａ１周りに回転できる。第２の軸はＡ２で示される。クレイドルは、両矢印Ｒ２によって示されるように、第２の軸Ａ２周りに回転できる。また、クレイドルは、両矢印Ｔによって示されるように第３の軸Ａ３に沿って移動することができ、第３の軸Ａ３は、この第１の実施形態において第２の軸Ａ２と一致する。以下に説明されるように、本発明によるシステムは、ブラケットが回転Ｒ１／Ｒ２及び並進移動Ｔの組合せで動作することを可能にする。
【００１４】
クレイドルに取り付けられたプラグは、例えば、マイクロＵＳＢプラグ等、ＵＳＢ規格に適合したプラグに対応し得る。分かり易くするために、プラグに取付けられる電線は、様々な図面において示されない。
【００１５】
図２、３、４は本発明によるシステムの第１の実施形態を描く。図２は分解図を描き、図３は断面時を描き、図４は拡大断面図を描く。分かり易くするために、装置のキャビネット１９のみが描かれ、これは装置の上面に対応し得る。
【００１６】
第１の回転機構は：
−ブラケット１２、
−ブラケット１２の下方部分を閉じるために使用されるカバー要素１５、
−プラグ１１に接続されるシャフト部分Ｓ、を有し、プラグは携帯機器に接続されることが意図される。シャフト部分Ｓは、ブラケット１２の下方に延びるとともに第１の軸Ａ１に対して回転可能な接続部を形成するようにカバー要素１５に形成された孔と協働する。好ましくは、シャフト部分Ｓは、第１の軸Ａ１周りの回転を容易にするために円筒形状である。
【００１７】
第１の回転機構は、ユーザが第１の軸Ａ１に対してプラグ１１を手動で回転させることを可能にする。
【００１８】
第２の回転機構は：
−キャビネット１９に固定されることが意図される支持要素１８、
−支持要素１８の２つの孔を貫通するシャフト１６、を有する。シャフト１６は、例えば、２つのＣクリップ１１４によって、支持要素１８に対して所定の位置に保持される。シャフト１６は、ブラケットの後部に形成された延長脚部ＥＬを介してブラケットと協働し、延長脚部ＥＬはシャフトを受けるための孔を有する。したがって、シャフト１６及び延長脚部ＥＬは、第２の軸に対して回転可能な接続部を形成する。
【００１９】
スライド機構は：
−支持要素１８、
−シャフト１６、を有する。シャフト１６は、ブラケットが第３の軸Ａ３に沿って並進移動できるように、延長脚部ＥＬを介してブラケットと協働する。
【００２０】
したがって、シャフト１６は、ブラケットが回転することを可能にするだけでなく、第２の軸Ａ２に沿って並進移動することも可能にする。
【００２１】
有利には、本発明による第１の実施形態の第１の回転機構は、第１の軸Ａ１に対して１８０度離れた所定の角度にプラグを回転させるように適合される。このために、図４に示されるように、シャフト部分Ｓは、シャフト部分Ｓの周りに互いに反対側に配置された２つの平坦な領域Ｆ１／Ｆ２を有する。第１の回転機構はまた、ブラケット及びカバー要素１５によって形成された空所に配置される、好ましくはＵ形状の、スプリング１３を有する。スプリング１３は、シャフト部分Ｓが第１の軸Ａ１周りに所定の角度位置、好ましくは０度又は１８０度で、容易に安定され得るように、２つの平坦な領域Ｆ１／Ｆ２に半径方向の挟む力を作り出す。したがって、プラグ１１はシャフト部分Ｓとともに、携帯機器がプラグ１１に容易に接続され得るように、第１の軸Ａ１に対して、ブラケットの中心周りに、１８０度ユーザによって手動で回転され得る。
【００２２】
有利には、本発明による第１の実施形態の第１の回転機構は、スプリング１３を適所に保持するために、ブラケットとカバー要素との間に配置された金属クリップ１４を有する。
【００２３】
有利には、図３に基づく、図５の２つの断面ＡＡに描かれるように、本発明による第１の実施形態の第１の回転機構は、回転を１８０度の範囲内に制限するための装置を有する。このために、装置は、カバー要素１５のリブＲＢ１及びシャフト部分ＳのリブＲＢ２を有し、リブＲＢ１は、リブＲＢ２のためのストッパとして機能する。これは、プラグに接続された電線に損傷を及ぼし得る、ユーザが第１の軸Ａ１周りの同じ方向に何回もプラグを回転させることを不可能にする。左側の断面は、０度の角度位置のプラグを示し、右側の断面は、１８０度の角度位置のプラグを示す。
【００２４】
有利には、本発明による第１の実施形態の第２の回転機構は、トーションスプリング１７、又は複数のトーションスプリングを有し、このトーションスプリング１７の中に、シャフト１６が、配置されるとともに自由に回転することができる。トーションスプリングの第１の端部は、ブラケットと接触するようになり、トーションスプリングの第２の端部はキャビネット１９と接触するようになる。結果として、トーションスプリングは、ブラケット１２が第２の軸Ａ２周りに時計回りに強制的に回転されるような力を作り出す。これは、携帯機器１１２が、プラグに接続されたとき、サイズ及び厚さに関わり無く、好ましくはゴムバンパ１１１を介して、装置に取付けられた支持部１１０に対して、しっかりと寄り掛かることを可能にする。支持部１１０は必ずしも、ここに示されるように、別部品ではなく、装置のキャビネット自体の一部であり得ることが留意される。
【００２５】
有利には、本発明によるシステムの第１の実施形態は、プラグが第３の軸Ａ３に沿って並進移動することが意図される装置の中空部分を隠すための装置を有する。これは、良好な審美的な効果を提供することが意図される。このために、装置は、中空部分をカバーするためのシート要素１１３を有する。シート要素１１３は、プラグ１１又はシャフト部分Ｓに取付けられる。例えば、シート要素１１３は、ゴム又はプラスチック等、柔らかい材料で作られる。シート要素１１３は、キャビネット１９の表面のすぐ下で、プラグとともに、スライドできる。したがって、シート要素１１３の長さは、プラグが中空部分の最も右側まで並進移動されたとき、シート要素１１３が依然として中空部分の最も左側をカバーできること、及びその逆を確実にするように、キャビネット１９に形成される孔の長さの約２倍である。
【００２６】
図６乃至１０は、本発明によるシステムの第２の実施形態を描く。図６は分解図を描き、図７は第１の断面時を描き、図８は第２の断面時を描き、図９は拡大断面図を描き、図１０は第３の断面時を描く。分かり易くするために、装置のキャビネット２９のみが描かれ、これは装置の上面に対応し得る。
【００２７】
第１の回転機構は：
−ブラケット２２、
−プラグ２１に接続されるシャフト部分Ｓ、を有し、プラグは携帯機器に接続されることが意図される。シャフト部分Ｓは、ブラケット２２の下方に延びるとともに第１の軸Ａ１に対して回転可能な接続部を形成するようにブラケット２２に形成された孔と協働する。クリップ２４が、シャフト部分Ｓがブラケット２２から抜けることを防ぐために、所定の位置にシャフト部分Ｓの下方部分を保持する。好ましくは、シャフト部分Ｓは、第１の軸Ａ１周りの回転を容易にするために円筒形状である。
【００２８】
第１の回転機構は、ユーザが第１の軸Ａ１に対してプラグ２１を手動で回転させることを可能にする。
【００２９】
第２の回転機構は：
−図８，９により良く示されるように、その側部で２つの円筒形アーム部ＡＲ１及びＡＲ２が延びる、ブラケット２２、
−例えば、セルフクリップ雄／雌組立体を使用して、ブラケット２２を囲むように、互いに協働する前部要素２５及び後部要素２１５、を有する。特に、前部要素２５及び後部要素２１５の側壁は、第２の軸Ａ２に対する回転を可能にするヒンジを形成するように、２つの円筒形アーム部ＡＲ１及びＡＲ２を囲み、第２の軸は、円筒形アーム部ＡＲ１及びＡＲ２の中心を貫通する。
【００３０】
スライド機構は：
−例えば、ネジＳＷによって、キャビネット２９に固定されることが意図される支持要素２８、
−支持要素２８の後ろ側に形成された２つの孔Ｈ１／Ｈ２を貫通するシャフト２６、を有する。シャフト２６は、第２の軸Ａ２と平行な第３の軸Ａ３を定める。シャフト２６は、例えば、２つのＣ−クリップ２１６によって、支持要素２８とともに所定の位置に保持される。シャフト２６は、後部要素２１５の後ろに配置された延長脚部ＥＬを介して後部要素２１５と協働する。後部要素２１５が第３の軸Ａ３に沿ってシャフト２６に対して並進移動できるように、孔がシャフト２６を受け入れるために延長脚部ＥＬに形成される。後部要素２１５はブラケット２２を囲む前部要素２５に取り付けられるので、この装置もまた、プラグがシャフト２６に対して第３の軸Ａ３に沿って並進移動することを可能にする。
【００３１】
有利には、本発明による第１の実施形態と同様に、本発明による第２の実施形態の第１の回転機構は、第１の軸Ａ１に対して１８０度離れた所定の角度にプラグを回転させるように適合される。この目的を達成するために、図９に示されるように、シャフト部分Ｓは、シャフト部分Ｓの周りで互いに反対側に形成されるとともに配置された２つの平坦な領域Ｆ１／Ｆ２を有する。第１の回転機構はまた、前部要素２５及び後部要素２１５によって形成された空所に配置される、好ましくはＵ形状の、スプリング２３を有する。スプリング２３は、シャフト部分Ｓが第１の軸Ａ１周りに所定の角度位置、好ましくは０度又は１８０度で、容易に安定され得るように、２つの平坦な領域Ｆ１／Ｆ２に半径方向の挟む力を作り出す。スプリング２３は好ましくは、クリップ２４がスプリング２３を所定の位置に保持するように、クリップ２４とブラケット２２との間に配置される。したがって、プラグ２１はシャフト部分Ｓとともに、携帯機器がプラグ２１に容易に接続され得るように、第１の軸Ａ１に対して、ブラケットの中心周りに、１８０度ユーザによって手動で回転され得る。
【００３２】
有利には、本発明による第２の実施形態の第１の回転機構は、回転を１８０度の範囲内に制限するための装置を有する。この目的を達成するために、装置は、前部要素２５のリブＲＢ１及びシャフト部分ＳのリブＲＢ２を有し、リブＲＢ１は、プラグが１８０度より大きく回転することを防ぐために、リブＲＢ２のためのストッパとして機能する。これは、プラグに接続された電線に損傷を及ぼし得る、ユーザが第１の軸Ａ１周りの同じ方向に何回もプラグを回転させることを不可能にする。この好適な解決方法は、図５に示されたものと同様の方法で実装される。
【００３３】
有利には、本発明による第２の実施形態の第２の回転機構は、その中で円筒形アーム部ＡＲ１及びＡＲ２が配置されるとともに自由に回転することができる、１組のトーションスプリング２７を有する。トーションスプリングの第１の端部は、ブラケット２２と接触するようになり、トーションスプリングの第２の端部は前部要素２５の底部と接触するようになる。結果として、トーションスプリングは、ブラケット２２が第２の軸Ａ２周りに時計回りに強制的に回転されるような力を作り出す。これは、携帯機器２１２が、プラグに接続されたとき、サイズ及び厚さに関わり無く、好ましくはゴムバンパ２１１を介して、装置に取付けられた支持部２１０に対して、しっかりと寄り掛かることを可能にする。支持部２１０は必ずしも、ここに示されるように、別部品ではなく、装置のキャビネット自体の一部であり得ることが留意される。
【００３４】
有利には、本発明によるシステムの第２の実施形態は、プラグが第３の軸Ａ３周りに回転することを防ぐための機構を有する。このために、支持要素２８は、前部要素２５の前部に形成された溝Ｇを有し、前部要素はリブＲＢ３をその前方部分に有する。リブＲＢ３は、第３の軸Ａ３に沿った前部要素２５の位置に関係なく、溝に入ることが意図される。
【００３５】
有利には、本発明によるシステムの第２の実施形態は、プラグが第３の軸Ａ３に沿って並進移動することが意図される装置の中空部分を隠すための装置を有する。この装置は、良好な審美的な効果を提供することが意図される。このために、装置は、支持要素２８に取付けられた２つのローラ２１４、及びローラの周りを回転することができるゴムバンド２１３を有する。ゴムバンド２１３は、プラグ２１に又はゴムバンドに形成された孔ＨＰ内のシャフト部分Ｓに取付けられる。プラグが第３の軸に沿って並進移動するとき、中空部分が常に隠されるように装置はゴムバンドも並進移動させる。
【００３６】
有利には、本発明によるシステムの第２の実施形態は、ゴムバンド２１３に剛性を与えるための装置を有する。このために、この装置は、孔Ｈ１／Ｈ２を介して支持要素２８に取り付けられた支持ストリップ２２１を有する。支持ストリップは、ゴムバンド２１３のすぐ下に延び、プラグの並進運動中にゴムバンドが後部要素２１５に接触することを防ぐのに過不足なくゴムバンドと重なる。
【００３７】
有利には、本発明によるシステムの第２の実施形態は、プラグに接続されたとき、携帯機器の水平位置を位置決めするための装置を有する。このために、装置は、例えば、雄／雌セルフクリップ接続を介して、互いに協働するとともに、シャフト部分Ｓに取付けられる、下部支持バー２１７及び上部支持バー２２０からなる支持バーを有する。装置はまた、支持バーの内部に収容される、１組のノブ２１８及びノブと協働する１組のピストン２１９を有する。与えられたノブ２１８がユーザによって回転されるとき、付随するピストン２１９は、携帯機器２１２が付随するピストンによって水平に支持されるまで、図１０に矢印ＵＤ１／ＵＤ２によって示されるように、第１の軸Ａ１に平行な方向に垂直に上又は下に移動される。これは、ピストンの側に携帯機器の重量がかかるために、過度な傾きによってプラグ２１に損傷を及ぼすことを防ぐ。
【００３８】
本発明によるシステムは、上述のタイプの任意の携帯機器をドッキングするためのドッキング装置（例えば、ドッキングステーション）に有利に実装され得る。本発明によるシステムは、例えば、ドッキングスピーカ、マイクロ及びミニシステムのようなオーディオ製品、時計付きラジオ、ドック付きのＣＤ音響機械等、に実装されることができる。特に、本発明によるシステムは、充電するために及び／又はデータを転送するために及び／又はオーディオ又はビデオ信号を転送するためにマイクロＵＳＢソケットを使用する携帯機器用ドックを持つ任意の電気製品に使用されることができる。
【００３９】
ここに記載された上述の実施形態は、単なる例示であって、本発明の技術アプローチを限定することを意図するものではない。本発明は好適な実施形態を参照して詳細に説明されているが、当業者は、本発明の技術アプローチが、本発明の技術アプローチの精神及び範囲から離れることなしに、修正され得る又は均等物に置換され得ることを理解するであろう。この本発明の技術アプローチは、本発明の特許請求の範囲の保護範囲に含まれる。特許請求の範囲において、単語「有する（ｃｏｍｐｒｉｓｉｎｇ）」は他の要素又はステップを排除するものではなく、不定冠詞“ａ”又は“ａｎ”は複数を排除するものではない。特許請求の範囲における如何なる参照符号も、範囲を限定するものとして解釈されるべきではない。
【図１】
2014517400.tif 000003
【図２】
2014517400.tif 000004
【図３】
2014517400.tif 000005
【図４】
2014517400.tif 000006
【図５】
2014517400.tif 000007
【図６】
2014517400.tif 000008
【図７】
2014517400.tif 000009
【図８】
2014517400.tif 000010
【図９】
2014517400.tif 000011
【図１０】
2014517400.tif 000012
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
携帯機器を装置に接続するためのシステムであって、前記システムは前記携帯機器を接続することが意図されるプラグを受けるためのブラケットを有し、前記システムは：
−第１の軸に対して前記ブラケットを回転させるための第１の回転機構、
−第２の軸に対して前記ブラケットを回転させるための第２の回転機構であって、前記第２の軸は前記第１の軸に直交する、第２の回転機構及び
−前記装置の中空部分の長手方向と平行な第３の軸に沿った異なる位置において、前記プラグが前記携帯機器に接続することを可能にするように、前記第３の軸に沿って前記中空部分内で前記ブラケットを移動させるためのスライド機構であって、前記第３の軸は前記第２の軸と平行である、スライド機構、を有する、
システム。
【請求項２】
前記第１の回転機構は、前記第１の軸に対して１８０度離れた所定の角度に前記プラグを回転させるように適合される、
請求項１に記載のシステム。
【請求項３】
前記第１の回転機構は、前記回転を１８０度の範囲内に制限する装置を有する、
請求項１に記載のシステム。
【請求項４】
前記第２の回転機構は、前記ブラケットが前記第２の軸周りに時計回りに強制的に回転されるような力を作り出すトーションスプリングを有する、
請求項１に記載のシステム。
【請求項５】
前記第３の軸に沿った前記ブラケットの移動中、前記プラグが前記第３の軸に沿って移動することが意図される前記装置の前記中空部分を隠すための装置をさらに有する、
請求項１に記載のシステム。
【請求項６】
前記プラグが前記第３の軸周りに回転することを防ぐ機構をさらに有する、
請求項１に記載のシステム。
【請求項７】
前記携帯機器が前記プラグに接続されるとき、前記携帯機器を水平位置に関して位置決めするための装置をさらに有する、
請求項１に記載のシステム。
【請求項８】
携帯機器をドッキングするためのドッキング装置であって、
前記ドッキング装置は、請求項１乃至７のいずれか１項に記載のシステムを有する、
ドッキング装置。
【国際調査報告】
2014517400.tif 000013
2014517400.tif 000014